【手続補正書】
【提出日】平成28年5月16日(2016.5.16)
【手続補正１】
【補正対象書類名】明細書
【補正対象項目名】００１３
【補正方法】変更
【補正の内容】
【００１３】
本発明の一様態は、複数フレームに渡って表示画面内の異なる位置に存在するオブジェクトが該表示画面内に設定されているオブジェクト検知用領域を通過したことを検知する処理を行うために、該オブジェクト検知用領域を設定する画像処理装置であって、
前記表示画面内の異なる位置に存在する複数のオブジェクトの移動軌跡を前記表示画面上に表示させる処理手段と、
前記表示画面上に表示されている複数のオブジェクトの移動軌跡から、ユーザの選択に基づいて、前記オブジェクト検知用領域の枠と交点を有する移動軌跡と、前記オブジェクト検知用領域の枠と交点を有さない移動軌跡と、を決定し、前記交点を有する移動軌跡と交点を有し、前記交点を有さない移動軌跡と交点を有さずにオブジェクト検知用領域を配置可能な範囲を算出する算出手段と、
前記算出手段が算出した範囲を示す画像を、前記表示画面上に表示させる手段と
を備えることを特徴とする。
【手続補正２】
【補正対象書類名】特許請求の範囲
【補正対象項目名】全文
【補正方法】変更
【補正の内容】
【特許請求の範囲】
【請求項１】
複数フレームに渡って表示画面内の異なる位置に存在するオブジェクトが該表示画面内に設定されているオブジェクト検知用領域を通過したことを検知する処理を行うために、該オブジェクト検知用領域を設定する画像処理装置であって、
前記表示画面内の異なる位置に存在する複数のオブジェクトの移動軌跡を前記表示画面上に表示させる処理手段と、
前記表示画面上に表示されている複数のオブジェクトの移動軌跡から、ユーザの選択に基づいて、前記オブジェクト検知用領域の枠と交点を有する移動軌跡と、前記オブジェクト検知用領域の枠と交点を有さない移動軌跡と、を決定し、前記交点を有する移動軌跡と交点を有し、前記交点を有さない移動軌跡と交点を有さずにオブジェクト検知用領域を配置可能な範囲を算出する算出手段と、
前記算出手段が算出した範囲を示す画像を、前記表示画面上に表示させる手段と
を備えることを特徴とする画像処理装置。
【請求項２】
複数フレームに渡って表示画面内の異なる位置に存在するオブジェクトが該表示画面内に設定されているオブジェクト検知線を通過したことを検知する処理を行うために、該オブジェクト検知線を設定する画像処理装置であって、
前記表示画面内の異なる位置に存在する複数のオブジェクトの移動軌跡を前記表示画面上に表示させる処理手段と、
前記表示画面上に表示されている複数のオブジェクトの移動軌跡から、ユーザの選択に基づいて、前記オブジェクト検知線と交点を有する移動軌跡と、前記オブジェクト検知線と交点を有さない移動軌跡と、を決定し、前記交点を有する移動軌跡と交点を有し、前記交点を有さない移動軌跡と交点を有さずにオブジェクト検知線を配置可能な範囲を算出する算出手段と、
前記算出手段が算出した範囲を示す画像を、前記表示画面上に表示させる手段と
を備えることを特徴とする画像処理装置。
【請求項３】
更に、
前記算出手段が算出した範囲を示す画像を前記表示画面に表示させた後、ユーザからのオブジェクト検知用領域の設定を受ける手段を備えることを特徴とする請求項１に記載の画像処理装置。
【請求項４】
前記処理手段は、前記表示画面上に表示した各フレームの画像から検出したオブジェクトの検出座標位置を、該オブジェクトの移動軌跡として取得し、該取得した移動軌跡を前記表示画面上に表示させることを特徴とする請求項１乃至３の何れか１項に記載の画像処理装置。
【請求項５】
前記処理手段は、既定の条件を満たすオブジェクトの移動軌跡、若しくは既定の条件を満たす移動軌跡を前記表示画面上に表示させることを特徴とする請求項１乃至４の何れか１項に記載の画像処理装置。
【請求項６】
前記処理手段は、前記オブジェクト検知線と交点を有する移動軌跡と、前記オブジェクト検知線と交点を有さない移動軌跡と、を異なる形態で前記表示画面上に表示させることを特徴とする請求項２に記載の画像処理装置。
【請求項７】
複数フレームに渡って表示画面内の異なる位置に存在するオブジェクトが該表示画面内に設定されているオブジェクト検知用領域を通過したことを検知する処理を行うために、該オブジェクト検知用領域を設定する画像処理装置が行う画像処理方法であって、
前記画像処理装置の処理手段が、前記表示画面内の異なる位置に存在する複数のオブジェクトの移動軌跡を前記表示画面上に表示させる処理工程と、
前記画像処理装置の算出手段が、前記表示画面上に表示されている複数のオブジェクトの移動軌跡から、ユーザの選択に基づいて、前記オブジェクト検知用領域の枠と交点を有する移動軌跡と、前記オブジェクト検知用領域の枠と交点を有さない移動軌跡と、を決定し、前記交点を有する移動軌跡と交点を有し、前記交点を有さない移動軌跡と交点を有さずにオブジェクト検知用領域を配置可能な範囲を算出する算出工程と、
前記画像処理装置の表示手段が、前記算出工程で算出した範囲を示す画像を、前記表示画面上に表示させる工程と
を備えることを特徴とする画像処理方法。
【請求項８】
複数フレームに渡って表示画面内の異なる位置に存在するオブジェクトが該表示画面内に設定されているオブジェクト検知線を通過したことを検知する処理を行うために、該オブジェクト検知線を設定する画像処理装置が行う画像処理方法であって、
前記画像処理装置の処理手段が、前記表示画面内の異なる位置に存在する複数のオブジェクトの移動軌跡を前記表示画面上に表示させる処理工程と、
前記画像処理装置の算出手段が、前記表示画面上に表示されている複数のオブジェクトの移動軌跡から、ユーザの選択に基づいて、前記オブジェクト検知線と交点を有する移動軌跡と、前記オブジェクト検知線と交点を有さない移動軌跡と、を決定し、前記交点を有する移動軌跡と交点を有し、前記交点を有さない移動軌跡と交点を有さずにオブジェクト検知線を配置可能な範囲を算出する算出工程と、
前記画像処理装置の表示手段が、前記算出工程で算出した範囲を示す画像を、前記表示画面上に表示させる工程と
を備えることを特徴とする画像処理方法。
【請求項９】
更に、
前記画像処理装置の受付手段が、前記算出工程で算出した範囲を示す画像を前記表示画面に表示させた後、ユーザからのオブジェクト検知用領域の設定を受ける工程を備えることを特徴とする請求項７に記載の画像処理方法。
【請求項１０】
前記処理工程では、前記表示画面上に表示した各フレームの画像から検出したオブジェクトの検出座標位置を、該オブジェクトの移動軌跡として取得し、該取得した移動軌跡を前記表示画面上に表示させることを特徴とする請求項７乃至９の何れか１項に記載の画像処理方法。
【請求項１１】
前記処理工程では、既定の条件を満たすオブジェクトの移動軌跡、若しくは既定の条件を満たす移動軌跡を前記表示画面上に表示させることを特徴とする請求項７乃至１０の何れか１項に記載の画像処理方法。
【請求項１２】
前記処理工程では、前記オブジェクト検知線と交点を有する移動軌跡と、前記オブジェクト検知線と交点を有さない移動軌跡と、を異なる形態で前記表示画面上に表示させることを特徴とする請求項８に記載の画像処理方法。
【請求項１３】
コンピュータを、請求項１乃至６の何れか１項に記載の画像処理装置の各手段として機能させるためのコンピュータプログラム。